(57)【要約】【課題】日の出や日没に対する適切な制御を行う技術を提供することができる。【解決手段】太陽電池の直流電力の電圧を所望の電圧に調整して中間バスに供給するコンバータと、蓄電池の直流電力を中間バスに放電可能に構成されると共に、中間バスから蓄電池に充電可能に構成される充放電回路と、中間バスの直流電力を交流電力に変換するインバータと、を備え、インバータは、コンバータと通信を行うための第１通信部を有し、コンバータは、インバータと通信を行うための第２通信部を有し、コンバータは、太陽電池の出力電力に基づいて日没を検出し、日没の情報をインバータに第１通信部を介して第２通信部へ送信することを特徴とする。【選択図】図１
2020167828.tif 000002
【特許請求の範囲】
【請求項１】
太陽電池の直流電力の電圧を所望の電圧に調整して中間バスに供給するコンバータと、
蓄電池の直流電力を前記中間バスに放電可能に構成されると共に、前記中間バスから前
記蓄電池に充電可能に構成される充放電回路と、
前記中間バスの直流電力を交流電力に変換するインバータと、を備え、
前記コンバータは、前記インバータと通信を行うための第１通信部を有し、
前記インバータは、前記コンバータと通信を行うための第２通信部を有し、
前記コンバータは、前記太陽電池の出力電力に基づいて日没を検出し、当該日没の情報
を前記インバータに前記第１通信部を介して前記第２通信部へ送信することを特徴とする
電力変換システム。
【請求項２】
前記インバータは表示部を有し、
前記インバータは、前記日没の情報を受信すると、前記表示部に前記日没に関する表示
を行うことを特徴とする請求項１に記載の電力変換システム。
【請求項３】
太陽電池の直流電力の電圧を所望の電圧に調整して中間バスに供給するコンバータと、
蓄電池の直流電力を前記中間バスに放電可能に構成されると共に、前記中間バスから前
記蓄電池に充電可能に構成される充放電回路と、
前記中間バスの直流電力を交流電力に変換するインバータと、を備え、
前記コンバータは、前記インバータと通信を行うための第１通信部を有し、
前記インバータは、前記コンバータと通信を行うための第２通信部を有し、
前記コンバータは、前記太陽電池の出力電力に基づいて日の出を検出し、当該日の出の
情報を前記インバータに前記第１通信部を介して前記第２通信部へ送信することを特徴と
する電力変換システム。
【請求項４】
前記インバータは表示部を有し、
前記インバータは、前記日の出の情報を受信すると、前記表示部に前記日の出に関する
表示を行うことを特徴とする請求項３に記載の電力変換システム。
【請求項５】
前記インバータは、前記コンバータに対して前記コンバータの入力、或いは出力に関す
る情報の送信依頼を前記第２通信部を介して送信可能に構成され、
前記インバータは、前記日没から前記日の出までの間は、前記送信依頼の送信を禁止す
ることを特徴とする請求項１から請求項４のいずれか１項に記載の電力変換システム。
【請求項６】
中間バスの直流電力を交流電力に変換するインバータ回路と、
太陽電池の直流電力の電圧を所望の電圧に調整して中間バスに供給するコンバータとの
通信を行うための第２通信部と、
日没又は日の出の情報を表示する表示部と、を備え、
前記表示部は、前記コンバータから日没の情報を前記第２通信部を介して受信した場合
、日没に関する表示を行い、日の出の情報を前記第２通信部を介して送信した場合、日の
出に関する表示を行うことを特徴とする電力変換装置。
【請求項７】
太陽電池の直流電力の電圧を所望の電圧に調整して中間バスに供給するコンバータ回路
と、
インバータとの通信を行うための第１通信部と、を備え、  前記コンバータ回路は、前
記太陽電池の出力電力に基づいて日没を検出した場合、日没の情報を前記インバータに前
記第１通信部を介して送信し、前記太陽電池の出力電力に基づいて日の出を検出した場合
、日の出の情報を前記インバータに前記第１通信部を介して送信することを特徴とするコ
ンバータ装置。
【請求項８】
太陽電池の直流電力の電圧を所望の電圧に調整して中間バスに供給するコンバータと通信
する第２通信部と、中間バスの直流電力を交流電力に変換するインバータとを備え、前記
インバータが前記コンバータに対して前記コンバータの入力、或いは出力に関する情報の
送信依頼をする電力変換装置に、日没処理を実行させるための電力変換プログラムであっ
て、
前記日没処理は、
前記第２通信部により、コンバータ回路から日没の情報を受信する日没情報受信ステップ
と、
前記第２通信部に、前記コンバータに対して前記コンバータの入力、或いは出力に関する
情報の送信依頼の送信を禁止する送信禁止ステップと、を含むことを特徴とする電力変換
プログラム。
【発明の詳細な説明】
【技術分野】
【０００１】
本発明は、電力変換装置、電力変換システム、或いは電力変換プログラムに関する。
【背景技術】
【０００２】
太陽電池の出力する直流電力を昇圧チョッパにより電圧を調整し、昇圧チョッパにより
調整された直流電力をインバータにより交流電力に変換し、変換した交流電力を商用電力
系統へ出力する電力変換装置がある。
【０００３】
このような電力変換装置は、日射の増加（日の出）を昇圧チョッパの入力電圧（太陽電
池の出力電圧）により検出して運転を開始し、日射の低下（日没）を太陽電池の発電量に
より検出して運転を停止していた。また、電力変換装置は、パワーコンディショナ内に昇
圧チョッパ、インバータ、及び制御部が設けられるものであり、日の出、日没の検出から
昇圧チョッパ、インバータの動作の制御を単一の制御部にて行うことができていた。（例
えば、特許文献１）
【先行技術文献】
【特許文献】
【０００４】
【特許文献１】特開２０１３−１０２６３１号公報
【発明の概要】
【発明が解決しようとする課題】
【０００５】
しかしながら、昇圧チョッパとインバータとが別々に構成されるような場合、インバー
タ側では太陽電池の出力情報が得難く、日の出や日没に応じた制御をすることが難しくな
る。
【０００６】
本発明は、上記従来例の問題を解決するためになされたものであり、昇圧チョッパとイ
ンバータとが別々に構成されるような電力変換システムにおいて日の出や日没に対する適
切な制御を行う技術を提供することにある。
【課題を解決するための手段】
【０００７】
上記課題を解決するために、本開示のある態様の電力変換システムは、太陽電池の直流
電力の電圧を所望の電圧に調整して中間バスに供給するコンバータと、蓄電池の直流電力
を前記中間バスに放電可能に構成されると共に、前記中間バスから前記蓄電池に充電可能
に構成される充放電回路と、前記中間バスの直流電力を交流電力に変換するインバータと
、を備え、前記コンバータは、前記インバータと通信を行うための第１通信部を有し、前
記インバータは、前記コンバータと通信を行うための第２通信部を有し、前記コンバータ
は、前記太陽電池の出力電力に基づいて日没を検出し、当該日没の情報を前記インバータ
に前記第１通信部を介して前記第２通信部へ送信することを特徴とする。
【０００８】
上記課題を解決するために、本開示のある態様の電力変換システムは、太陽電池の直流
電力の電圧を所望の電圧に調整して中間バスに供給するコンバータと、蓄電池の直流電力
を前記中間バスに放電可能に構成されると共に、前記中間バスから前記蓄電池に充電可能
に構成される充放電回路と、前記中間バスの直流電力を交流電力に変換するインバータと
、を備え、前記コンバータは、前記インバータと通信を行うための第１通信部を有し、前
記インバータは、前記コンバータと通信を行うための第２通信部を有し、前記コンバータ
は、前記太陽電池の出力電力に基づいて日の出を検出し、当該日の出の情報を前記インバ
ータに前記第１通信部を介して前記第２通信部へ送信することを特徴とする。
【０００９】
上記課題を解決するために、本開示のある態様の電力変換装置は、中間バスの直流電力
を交流電力に変換するインバータ回路と、太陽電池の直流電力の電圧を所望の電圧に調整
して中間バスに供給するコンバータとの通信を行うための第２通信部と、没又は日の出の
情報を表示する表示部と、を備え、前記表示部は、前記コンバータから日没の情報を前記
第２通信部を介して受信した場合、日没に関する表示を行い、日の出の情報を前記第２通
信部を介して送信した場合、日の出に関する表示を行うことを特徴とする。
【００１０】
上記課題を解決するために、本開示のある態様のコンバータ装置は、太陽電池の直流電
力の電圧を所望の電圧に調整して中間バスに供給するコンバータ回路と、インバータとの
通信を行うための第１通信部と、を備え、  前記コンバータ回路は、前記太陽電池の出力
電力に基づいて日没を検出した場合、日没の情報を前記インバータに前記第１通信部を介
して送信し、前記太陽電池の出力電力に基づいて日の出を検出した場合、日の出の情報を
前記インバータに前記第１通信部を介して送信することを特徴とする。
【００１１】
上記課題を解決するために、本開示のある態様の電力変換プログラムは、太陽電池の直
流電力の電圧を所望の電圧に調整して中間バスに供給するコンバータと通信する第２通信
部と、中間バスの直流電力を交流電力に変換するインバータとを備え、前記インバータが
前記コンバータに対して前記コンバータの入力、或いは出力に関する情報の送信依頼をす
る電力変換装置に、日没処理を実行させるための電力変換プログラムであって、前記日没
処理は、前記第２通信部により、コンバータ回路から日没の情報を受信する日没情報受信
ステップと、前記第２通信部に、前記コンバータに対して前記コンバータの入力、或いは
出力に関する情報の送信依頼の送信を禁止する送信禁止ステップと、を含むことを特徴と
する。
【発明の効果】
【００１２】
本発明によれば、日の出や日没に対する適切な制御を行う技術を提供することができる
。
【図面の簡単な説明】
【００１３】
【図１】本発明に係る電力変換システムのシステム概要図である。
【図２】図２は、電力変換システムを構成する回路構成図である。
【図３】電力変換システムのコンバータに係る処理を示すフローチャートである。
【図４】電力変換システムのインバータに係る処理を示すフローチャートである。
【図５】電力変換システムのインバータとコンバータの動作を示すシーケンス図である。
【発明を実施するための形態】
【００１４】
（実施形態１）
以下、本開示の一実施形態に係る電力変換システムについて図面を参照して説明する。
図１は、電力変換システム１を説明するためのシステム概要図である。
【００１５】
本実施形態に係る電力変換システム１は、コンバータ２、インバータ３、充放電回路４
、中間バス８を備え、発電装置（一例として太陽電池５）で発電された直流電力を交流電
力に変換し電力系統６へ供給する。電力変換システム１は、充放電回路４に接続される蓄
電池７に蓄えられた電力を電力系統６へ供給可能に構成される。また、電力変換システム
１は、太陽電池５で発電された出力電力を蓄電池７へ、或いは電力系統６の電力を蓄電池
７へ充電可能に構成される。
【００１６】
コンバータ２は、ＤＣ／ＤＣコンバータ回路２１と制御回路２２を備える。制御回路２
２は、第１通信部２２１を有する。コンバータ２は、少なくとも一つの太陽電池５が接続
されている。ただし、太陽電池５の個数は限定されない。例えば、図１に示されるように
、電力変換システム１は、１つの太陽電池５と接続しているが、複数の太陽電池５と接続
されていてもよい。この際には、各々の太陽電池５は、夫々別のコンバータ２を用いて接
続されても良い。つまり、図１において、電力変換システム１は、１個のコンバータ２で
構成されているが、コンバータ２の個数はこれに限られない。
【００１７】
コンバータ２は、太陽電池５から出力される直流電力の電圧を所望の電圧に調整する。
コンバータ２において、直流電力の電圧を調整する機能は、ＤＣ／ＤＣコンバータ回路２
１（ここでは、昇圧回路を用いて昇圧している）によって担われる。具体的には、ＤＣ／
ＤＣコンバータ回路２１によって昇圧された直流電力が、中間バス８を介して後述するＤ
Ｃ／ＡＣインバータ回路３１に供給される。
【００１８】
制御回路２２は、マイクロプロセッサ、メモリなどからなり、ＤＣ／ＤＣコンバータ回
路２１の動作を制御する。  制御回路２２は、ＤＣ／ＤＣコンバータ回路２１における太
陽電池５の出力電力（ＤＣ／ＤＣコンバータ回路２１の入力電力）に基づいて、日没又は
日の出を検出する。
【００１９】
具体的には、制御回路２２は、ＤＣ／ＤＣコンバータ回路２１において、太陽電池５か
らの出力電力が所定値以下となった際、日没を検出する。また、制御回路２２は、ＤＣ／
ＤＣコンバータ回路２１において、太陽電池５からの出力電圧が所定値以上となった際、
日の出を検出する。
【００２０】
第１通信部２２１は、日没の情報又は日の出の情報が得られた際に、これらの情報をイ
ンバータ３へ送信する。
【００２１】
尚、日没、日の出の情報以外にも適宜（例えば、インバータ３から太陽電池５の出力情報
の送信依頼があった場合など）、太陽電池５やＤＣ／ＤＣコンバータ回路２１等の状態を
示す情報、例えば、太陽電池５の出力電力、ＤＣ／ＤＣコンバータ回路２１への入力電圧
、ＤＣ／ＤＣコンバータ回路２１への入力電流、太陽電池５やＤＣ／ＤＣコンバータの動
作状態等を第１通信部２２１からインバータ３に伝達しても良い。
【００２２】
インバータ３は、ＤＣ／ＡＣコンバータ回路３１、制御回路３２、及び表示部３３を備
え、中間バス８を介して入力側にコンバータ２を接続する。インバータ３は、中間バス８
の直流電力を交流電力に変換する。インバータ３は、変換された交流電力を、電力系統６
や電力系統６に接続される負荷９へ供給する。（負荷９は、例えば、空調機器や冷蔵庫等
である。）同様に、インバータ３は、電力系統６から供給される交流電力を直流電力に変
換し中間バス８に供給し、蓄電池７は充放電回路４を介してこの中間バスの直流電力で充
電される。インバータ３において、直流電力を交流電力に変換する機能及び交流電力を直
流電力に変換する機能は、ＤＣ／ＡＣインバータ回路３１によって担われる。
【００２３】
制御回路３２は、第２通信部３２１を有している。制御回路３２は、マイクロプロセッ
サ、メモリからなり、ＤＣ／ＡＣコンバータ回路３１の動作を制御する。
【００２４】
第２通信部３２１は、第１通信部２２１から送信される日没の情報又は日の出の情報を
受信する。
【００２５】
表示部３３は、操作部３３１と表示画面部３３２を有し、日没の情報又は日の出の情報
に基づいて、日没又は日の出に関する表示を行う。
【００２６】
操作部３３１は、ボタンやタッチパットなどからなり、ユーザーに操作される、例えば
、太陽電池５の出力、蓄電池７の残容量や出力、インバータの出力などの情報をユーザー
が得たい場合に、に操作され、表示部３３はこれらの情報をインバータと通信して取得す
る。この際、インバータ３は、コンバータ２に対して、コンバータ２の入力、或いは出力
に関する情報の送信依頼を第２通信部３２１を用いて送信する。
【００２７】
このように、表示部３３は、太陽電池５やＤＣ／ＤＣコンバータ回路２１等の状態を示
す情報等の送信依頼をインバータ３を介してコンバータ２に対して指示することができる
。
【００２８】
表示画面部３３２は、日没の情報又は日の出の情報等を目視可能にする。また、表示画
面部３３２は、ユーザーの操作によって得られた情報（太陽電池５の出力電力状況等）を
表示する。
【００２９】
尚、操作部３３１にタッチパッドを採用した場合、表示画面部３３２と合わせて、タッ
チパネルとして構成される。このように、操作部３３１と表示画面部３３２は、一体化さ
れた構成としても良いし、又は別体化された構成のいずれでもよい。
【００３０】
インバータ３は、日没の情報を受け取ってから次に日の出の情報を受け取るまで、コン
バータ２に対してこの送信依頼の送信を禁止している。逆に、インバータ３は、日の出の
情報を受け取ってから次に日没の情報を受け取るまでは、この送信依頼を第２通信部３２
１を介して送信可能に構成されている。送信依頼を送るタイミングは、所定時間間隔のタ
イミングでも良いし、操作部３３１が操作されたタイミングなどでも良い。
【００３１】
充放電回路４は、蓄電池コンバータ回路４１、制御回路４２を備え、蓄電池７と中間バ
ス８との間に接続される。制御回路４２は、第３通信部４２１を有する。蓄電池７は、リ
チウムイオン電池等から構成される。
【００３２】
蓄電池コンバータ回路４１は、双方向チョッパ回路構成である。蓄電池コンバータ回路
４１は、蓄電池７からの直流電力を中間バス８に放電可能となるように構成される。また
、蓄電池コンバータ回路４１は、中間バス８から蓄電池７に充電可能に構成されている。
【００３３】
制御回路４２は、マイクロプロセッサ、メモリなどから成り、蓄電池コンバータ回路４
１の動作の制御を行う。具体的には、制御回路４２は、インバータ３の制御回路３２の有
する第２通信部３２１から出力指令の情報を受け取り、蓄電池７の出力電力（或いは出力
電流）が出力指令になるように蓄電池コンバータ回路４１を制御する（出力指令がマイナ
スの際は蓄電池７が充電され、プラスの際は放電される）。
【００３４】
尚、本実施形態の電力変換システム１におけるインバータ３は、充放電回路４及び蓄電
池７が接続されていなくとも、太陽電池５の直流電力を交流電力に変換して電力系統６に
供給可能に構成されている。また、インバータ３は、充放電回路４及び蓄電池７部分を後
付け可能に構成されている。
【００３５】
充放電回路４は、太陽電池５の余剰電力を中間バス８から蓄電池７に充電可能に構成さ
れていても良い。尚、太陽電池５の余剰電力は、電力系統６へ逆潮流させても良い。
【００３６】
図２（ａ）−（ｃ）は、本実施形態に係る電力変換システム１に含まれる回路構成図で
ある。図２（ａ）は、ＤＣ／ＤＣコンバータ回路２１の回路構成図である。図２（ｂ）は
、ＤＣ／ＡＣインバータ回路３１の回路構成図である。図２（ｃ）は、蓄電池コンバータ
回路４１の回路構成図である。
【００３７】
ＤＣ／ＤＣコンバータ回路２１は、太陽電池５で発電した直流電力が供給される、ＤＣ
／ＤＣコンバータ回路２１は、直流用リアクトルＬ１、スイッチング素子Ｓ１、ダイオー
ドＤ１、コンデンサＣ１、からなるチョッパ回路により構成され、スイッチング素子Ｓ１
を所定の周波数でＯＮ／ＯＦＦすることにより、入力された直流電力の電圧を所望の電圧
に昇圧する。ＤＣ／ＤＣコンバータ回路２１で昇圧した直流電力は、ＤＣ／ＡＣインバー
タ回路３１へ出力される。チョッパ回路の入力側には、電圧計Ｖ１、電流計Ａ１が設けら
れる。
【００３８】
制御回路２２は、電圧計Ｖ１及び電流計Ａ１から得られる電圧及び電流から太陽電池５
の出力電力を検出する。制御回路２２は、太陽電池５の出力が最大になるようにスイッチ
ング素子Ｓ１の動作を制御（ＭＰＰＴ制御：Ｍａｘｉｍｕｍ Ｐｏｗｅｒ Ｐｏｉｎｔ Ｔ
ｒａｃｋｉｎｇ制御）する。また、太陽電池の出力電力の情報は、必要に応じて第１通信
部２２１を介してインバータ３へ送信される。
【００３９】
ＤＣ／ＡＣインバータ回路３１は、複数のスイッチング素子Ｓ２〜Ｓ５をフルブリッジ
接続した回路である。これらのスイッチング素子Ｓ２〜Ｓ５は、ＰＷＭ（Ｐｕｌｓｅ  Ｗ
ｉｄｔｈ  Ｍｏｄｕｌａｔｉｏｎ）制御により周期的にＯＮ／ＯＦＦされる。これにより
、電力系統６の周波数に同期する疑似正弦波の交流電力に変換される。この変換された交
流電力は、交流リアクトルＬ２及びコンデンサＣ２にて高周波成分を減衰させて正弦波状
に成形される。高周波成分が減衰された交流電力は、電力系統６へ供給される。ＤＣ／Ａ
Ｃインバータ回路３１には、電流計Ａ２が設けられ、制御回路３２は、電流計Ａ２により
得られた電流が所定値になるようにＤＣ／ＡＣインバータ回路３１を制御する。
【００４０】
蓄電池コンバータ回路４１は、双方向チョッパ回路構成である。蓄電池コンバータ回路
４１は、直流用リアクトルＬ３、スイッチング素子Ｓ６、Ｓ７、コンデンサＣ３、からな
る双方向チョッパ回路を成している。蓄電池コンバータ回路４１は、スイッチング素子Ｓ
６を所定の周波数でＯＮ／ＯＦＦさせ、蓄電池７からの直流電力の電圧を所望の電圧に昇
圧する。蓄電池７から出力して蓄電池コンバータ回路４１で昇圧した直流電力は、中間バ
ス８に供給され、ＤＣ／ＡＣインバータ回路３１へ出力される。
【００４１】
蓄電池コンバータ回路４１は、スイッチング素子Ｓ７を所定の周波数でＯＮ／ＯＦＦさ
せ、中間バス８の直流電力の電圧を所望の電圧に降圧して蓄電池７に供給する。蓄電池コ
ンバータ回路４１には電圧計Ｖ３及び電流計Ａ３が設けられる。蓄電池コンバータ回路４
１の制御回路４２は、インバータ３から出力される出力指令を制御回路が有する第３通信
部４２１より受信し、電流計Ａ３から得られる電流値（或いは、電圧計Ｖ３から得られる
電力とこの電流値から得られる電力値）が出力指令になるようにスイッチング素子Ｓ６、
Ｓ７を制御する。
【００４２】
図３は、本実施形態に係る電力変換システム１におけるコンバータ２の処理を示すフロ
ーチャートである。
【００４３】
まず、ステップＳ３０１からスタートし、ステップＳ３０２において、制御回路２２は
、ＤＣ／ＤＣコンバータ回路２１に設けられた電圧計Ｖ１から得られる電圧値から太陽電
池５の出力電圧を検出する。
【００４４】
ステップＳ３０３において、制御回路２２は、太陽電池５の出力電圧が所定値以上とな
った際に日の出が発生しているか否かを判定する。尚、ここでは太陽電池５の出力する直
流電力の出力電圧が所定値以上であることを検出して日の出の判断を行うが、その他の手
段によっても良い。例えば、日射計を用いたり、太陽電池に軽い負荷を接続して出力電力
を検出するなどしても良い。ステップＳ３０２において、日の出が発生したと判定した場
合は、ステップＳ３０４へ移行し、日の出が発生したと判断できない場合はステップＳ３
０２へ戻る。
【００４５】
ステップＳ３０４において、制御回路２２は、日の出を判断できる日の出の情報を第１
通信部２２１からインバータ３の第２通信部３２１へ送信する。送信される情報は、例え
ば、日の出の有無を示す「０」、「１」の２値情報でも良いし、太陽電池の出力電圧値を
送るようにしても良い。この際には、インバータ３側で日の出の電圧値を記憶していると
日の出の判断ができる。尚、日の出の電圧値をコンバータ２からインバータ３へ送りイン
バータ３で記憶するようにすると、開始条件の異なるコンバータ２をインバータ３へ接続
することができるようになる。また、コンバータ２は、図示しない表示部を備え、日の出
の情報を表示しても良い。
【００４６】
ステップＳ３０５において、制御回路２２は、太陽電池の出力電力等の情報を第１通信
部２２１からインバータ３の第２通信部３２１へ送信する。後述するように、ステップＳ
３０７からステップＳ３０５に戻る処理により、このステップＳ３０５により定期的にイ
ンバータ３へ太陽電池５の出力電力などの情報を送ることができる。
【００４７】
ステップＳ３０６において、制御回路２２は、ＤＣ／ＤＣコンバータ回路２１に設けら
れた電圧計Ｖ１及び電流計Ａ１から得られる電圧及び電流から太陽電池５の出力電力を検
出する。
【００４８】
ステップＳ３０７において、制御回路２２は、ＤＣ／ＤＣコンバータ回路２１において
、太陽電池５の出力する直流電力の出力電力が所定値以下となった際に日没が発生してい
ると判定する。ステップＳ３０７において、日没が発生したと判断した場合は、ステップ
Ｓ３０８へ移行し、日没が発生したと判断できない場合はステップＳ３０５へ戻る。これ
により定期的に太陽電池５の出力電力などの情報が、インバータ３へ送信されることとな
る。
【００４９】
ステップＳ３０８において、制御回路２２は、日没に関する日没の情報を第１通信部２
２１からインバータ３の第２通信部３２１へ送信する。送信される情報は、例えば、日没
の有無を示す「０」、「１」の２値情報でも良いし、太陽電池５の出力電力値を送るよう
にしても良い。この際には、インバータ３側で日の出の電圧値を記憶していると日の出の
判断ができるようになる。尚、日没を判断するための電力値をコンバータ２からインバー
タ３へ送り、インバータ３で記憶するようにすると、開始条件の異なるコンバータ２をイ
ンバータ３へ接続することができるようになる。また、コンバータ２は、図示しない表示
部を備え、日没と判断されてから次に日の出が判断されるまでの間、日没の情報をディス
プレイ等で表示しない構成としても良い。
【００５０】
図４は、本実施形態に係る電力変換システム１におけるインバータ３の処理を示すフロ
ーチャートである。
【００５１】
まず、ステップＳ４０１からスタートし、ステップＳ４０２において、コンバータ２の
第１通信部２２１から送信された日の出の情報を第２通信部３２１で受信したか否かを判
定する。ステップＳ４０２において、日の出の情報を受信したと判断した場合は、ステッ
プＳ４０３へ移行し、日の出の情報を受信したと判断できない場合はステップＳ４０２へ
戻る（ステップＳ４０２の判定を繰り返す）。
【００５２】
ステップＳ４０３において、インバータ３の制御回路３２は、表示部３３へ日の出の情
報を受信した旨の情報を、表示部３３に送る。表示部３３は、第２通信部３２１で日の出
の情報を受け取ると、日の出が分かる表示を表示画面部３３２に表示する。例えば、表示
画面部３３２は、日の出が分かる表示として、記号や文字で日の出を表す記載をしたり、
表示画面部３３２のディスプレイ等の画面の明るさを明るくしてもよい。このとき、表示
画面部３３２は、日の出が分かる表示に加えて、太陽電池５の出力電力値を表示してもよ
い。
【００５３】
ステップＳ４０４において、コンバータ２の第１通信部２２１から送信された日没の情
報を第２通信部３２１で受信したか否かを判定する。ステップＳ４０４において、日没の
情報を受信したと判断した場合は、ステップＳ４０５へ移行し、日没の情報を受信したと
判断できない場合はステップＳ４０４へ戻る（ステップＳ４０４の判定を繰り返す）。
【００５４】
ステップＳ４０５において、インバータ３の制御回路３２は、表示部３３へ日没の情報
を受信した旨の情報を、表示部３３に送る。表示部３２２は、第２通信部３２１で日没の
情報を受け取ると、日没が分かる表示を表示画面部３３２に表示する。例えば、表示画面
部３３２は、日没が分かる表示として、記号や文字で日没を表す記載をしたり、表示画面
部３３２のディスプレイ等の画面の明るさを日の出が判断された時よりも暗くしてもよい
。このとき、表示画面部３３２は、日没が分かる表示に加えて、太陽電池５の出力電力値
を表示してもよい。
【００５５】
次に図５を参照して、コンバータ２とインバータ３の動作の流れを説明する。図５は、
本実施形態に係る電力変換システムのコンバータ２とインバータ３の動作を示すシーケン
ス図である。まず、ステップＳ０５１において、コンバータ２の制御回路２２は、ＤＣ／
ＤＣコンバータ回路２１において、太陽電池５の出力する直流電力の出力電圧が所定値以
上となり日の出が発生していると判定すると、ステップＳ０５２において、コンバータ２
の第１通信部２２１は、日の出に関する日の出の情報をインバータ３の第２通信部３２１
へ送信する。
【００５６】
ステップＳ０５３において、インバータ３の第２通信部３２１は、コンバータ２の第１
通信部２２１から送信された日の出の情報を受信すると、ステップＳ０５４において、イ
ンバータ３の表示部３３は、日の出に応じた情報の表示を表示画面部３３２に表示する。
【００５７】
ステップＳ０５５において、制御回路３２は、日の出の情報を受け取ってから次に日没
の情報を受け取るまでに、ユーザーにより操作部３２１の操作がされ、インバータ３によ
りコンバータ２の情報（例えば、太陽電池５の発電量などコンバータ２の入力、や出力に
関する情報）の取得が必要になった際に、コンバータ２に対して、コンバータ２の入力、
或いは出力に関する情報などの送信依頼を第２通信部３２１を介して送信する。
【００５８】
ステップＳ０５６において、制御回路２２は、インバータ３から送信された送信依頼を
受け取ると、インバータ３に対して、コンバータ２の入力、或いは出力に関する情報を第
１通信部２２１を介して送信する。
【００５９】
ステップＳ０５７にて、インバータ３はコンバータ２の入力や出力に関する情報を受信
すると、表示部３３の表示部３２２にこれらの情報を表示させる。
【００６０】
ステップＳ０５８において、制御回路２２は、ＤＣ／ＤＣコンバータ回路２１において
、太陽電池５の出力する出力電力が所定値以下となった際に日没と判定し、ステップＳ０
５９において、コンバータ２の第１通信部２２１は、日没に関する日没の情報をインバー
タ３の第２通信部３２１へ送信する。
【００６１】
ステップＳ０６０において、インバータ３の第２通信部３２１は、コンバータ２の第１
通信部２２１から送信された日没の情報を受信すると、ステップＳ０６１において、イン
バータ３の表示部３２２は、日没に応じた情報の表示を表示画面部３３２に表示する。
【００６２】
ステップＳ０６２において、制御回路３２は、日没の情報を受け取ってから次に日の出
の情報を受け取るまで、コンバータ２に対して、コンバータ２の入力、或いは出力に関す
る情報の送信依頼の送信を禁止している。これにより、出力が落ちて動作する必要のない
コンバータ２との通信が制限され、無駄な電力消費を抑えることができる。
【００６３】
以上、本開示の実施の形態を説明したが、本開示の技術的範囲は、上述の記載の範囲に
は限定されない。本開示の趣旨を逸脱しない限り、当業者が思いつく各種変形を実施の形
態に施したものや、異なる実施の形態における構成要素を組み合わせて構築される形態も
、本開示の実施の形態に含まれる。
【符号の説明】
【００６４】
１・・・・・電力変換システム
２・・・・・コンバータ
３・・・・・インバータ
４・・・・・充放電回路
５・・・・・太陽電池
６・・・・・電力系統
７・・・・・蓄電池
８・・・・・中間バス
９・・・・・負荷
２１・・・・ＤＣ／ＤＣコンバータ回路
２２・・・・制御回路
３１・・・・ＤＣ／ＡＣインバータ回路
３２・・・・制御回路
３３・・・・表示部
４１・・・・蓄電池コンバータ回路
４２・・・・制御回路
２２１・・・第１通信部
３２１・・・第２通信部
３３１・・・操作部
３３２・・・表示画面部
４２１・・・第３通信部
【図１】
2020167828.tif 000003
【図２】
2020167828.tif 000004
【図３】
2020167828.tif 000005
【図４】
2020167828.tif 000006
【図５】
2020167828.tif 000007